(57)【要約】【課題】蓋体の開放時に、攪拌体が邪魔にならない上に、回転駆動装置の温度が異常に高くなるのを防ぐことができる電気炊飯器を提供する。【解決手段】電気炊飯器は、被加熱物を収容する内鍋１０と、内鍋１０が収納される炊飯器本体１と、内鍋１０内に回転自在に配置され、磁石４２を有する攪拌翼４０と、内鍋１０外に配置されて、回転軸を有する攪拌モータと、内鍋１０外に配置され、内鍋１０の磁性体層１０Ｂを誘導加熱するための誘導コイルとを備える。攪拌モータの回転軸には、磁石４２と磁気カップリングする磁石が取り付けられている。内鍋１０において回転翼４０の外縁で囲まれる領域に対応する部分は、高熱伝導部材１０Ａがあって、磁性体層１０Ｂがない。【選択図】図５
2011156218.tif 000002
【特許請求の範囲】
【請求項１】
被加熱物を収容すると共に、非磁性体層および磁性体層を重ねた部分を有する内鍋と、
上記内鍋が収納される炊飯器本体と、
上記炊飯器本体の上部に開閉自在に取り付けられ、上記内鍋を覆うように閉じることが可能な蓋体と、
上記蓋体とは分離されていると共に、上記内鍋内に回転自在に配置され、被駆動側磁石を有する攪拌体と、
上記内鍋外に配置され、上記攪拌体を回転駆動する回転駆動装置と、
上記内鍋外に配置され、上記内鍋の上記磁性体層を誘導加熱するための誘導加熱部と
を備え、
上記回転駆動装置は、上記被駆動側磁石と磁気カップリングすると共に、上記攪拌体を回転駆動するための回転磁界を発生させる回転磁界発生装置を有し、
上記内鍋において上記回転磁界発生装置に対応する部分は、上記非磁性体層があって、上記磁性体層がないことを特徴とする電気炊飯器。
【請求項２】
請求項１に記載の電気炊飯器において、
上記内鍋において上記被駆動側磁石の回転軌跡で囲まれる領域に対応する部分は、上記非磁性体層があって、上記磁性体層がないことを特徴とする電気炊飯器。
【請求項３】
請求項１または２に記載の電気炊飯器において、
上記内鍋において上記攪拌体の外縁で囲まれる領域に対応する部分は、上記非磁性体層があって、上記磁性体層がないことを特徴とする電気炊飯器。
【請求項４】
請求項１から３までのいずれか一項に記載の電気炊飯器において、
上記回転磁界発生装置は、回転軸と、この回転軸に取り付けられた駆動側磁石とを有することを特徴とする電気炊飯器。
【発明の詳細な説明】
【技術分野】
【０００１】
本発明は電気炊飯器に関する。
【背景技術】
【０００２】
従来、電気炊飯器としては、特開２００８−２７８９２４号公報（特許文献１）に開示されたものがある。この電気炊飯器は、被加熱物の米を収容する内鍋と、この内鍋が収納される炊飯器本体と、この炊飯器本体の上部に回動自在に取り付けられ、内鍋の開口を開閉する蓋体とを備えている。
【０００３】
上記蓋体の内面に、断面形状がほぼ山の字形状の攪拌体の上端部を回転自在に取り付け、蓋体を閉じたときに、攪拌体の下端部と内鍋の底部との間に所定の隙間が空くようになっている。すなわち、上記蓋体を閉じた状態で、上記攪拌体は内鍋の内部空間の上端から内鍋の内部空間の下端近傍まで延びている。
【０００４】
上記蓋体内には回転駆動装置が設置されており、この回転駆動装置の回転軸と攪拌体の上端部とが互いに連結されている。これにより、上記回転駆動装置が攪拌体を回転駆動して、内鍋内の飯をほぐすことができる。
【０００５】
しかしながら、上記従来の電気炊飯器では、攪拌体が内鍋の内部空間の上端から内鍋の内部空間の下端近傍まで延び、攪拌体の上端部が蓋体の内面に取り付けられているため、炊き上がったご飯をよそうときに、攪拌体がじゃまになる問題があった。
【０００６】
この問題を解決する電気炊飯器としては、攪拌体を蓋体から分離して、内鍋の底部上に配置して、蓋体が回動しても、攪拌体が内鍋の内面に引っ掛からないようにし、さらに、上記蓋体から分離された攪拌体に被駆動側磁石を取り付けると共に、内鍋の底部近傍に、被駆動側磁石との磁気カップリングにより攪拌体を回転駆動する回転駆動装置を配置した電気炊飯器が考えられる。
【０００７】
しかしながら、誘導加熱を用いた電気炊飯器においては、一般に、内鍋の内面は非磁性体層からなり、内鍋の外面は磁性体層からなるため、内鍋を誘導加熱すると、内鍋の底部下の近傍の回転駆動装置は内鍋の外面の磁性体層から多量の熱量を受ける。その結果、上記回転駆動装置の温度が異常に高くなるという問題が新たに発生してしまう。
【先行技術文献】
【特許文献】
【０００８】
【特許文献１】特開２００８−２７８９２４号公報（図１）
【発明の概要】
【発明が解決しようとする課題】
【０００９】
そこで、本発明の課題は、蓋体の開放時に、攪拌体が邪魔にならない上に、回転駆動装置の温度が異常に高くなるのを防ぐことができる電気炊飯器を提供することにある。
【課題を解決するための手段】
【００１０】
上記課題を解決するため、本発明の電気炊飯器は、
被加熱物を収容すると共に、非磁性体層および磁性体層を重ねた部分を有する内鍋と、
上記内鍋が収納される炊飯器本体と、
上記炊飯器本体の上部に開閉自在に取り付けられ、上記内鍋を覆うように閉じることが可能な蓋体と、
上記蓋体とは分離されていると共に、上記内鍋内に回転自在に配置され、被駆動側磁石を有する攪拌体と、
上記内鍋外に配置され、上記攪拌体を回転駆動する回転駆動装置と、
上記内鍋外に配置され、上記内鍋の上記磁性体層を誘導加熱するための誘導加熱部と
を備え、
上記回転駆動装置は、上記被駆動側磁石と磁気カップリングすると共に、上記攪拌体を回転駆動するための回転磁界を発生させる回転磁界発生装置を有し、
上記内鍋において上記回転磁界発生装置に対応する部分は、上記非磁性体層があって、上記磁性体層がないことを特徴としている。
【００１１】
上記構成によれば、上記攪拌体は、蓋体とは分離されているので、蓋体の開放時に、邪魔にならない。
【００１２】
また、上記内鍋において回転磁界発生装置に対応する部分は、非磁性体層があって、磁性体層がないので、内鍋の磁性体層が誘導加熱されても、その回転磁界発生装置に対応する部分の温度上昇は比較的小さい。したがって、上記内鍋から回転磁界発生装置に伝わる熱量は少なくなるので、回転駆動装置の温度が異常に高くなるのを防ぐことができる。
【００１３】
また、上記内鍋において回転磁界発生装置に対応する部分は、非磁性体層であって、磁性体層がないので、被駆動側磁石および回転磁界発生装置による磁気カップリングにおいて磁性体層から受ける悪影響が小さくなる。したがって、上記磁気カップリングを強固にすることができ、カップリングトルクを高めることができる。
【００１４】
一実施形態の電気炊飯器では、
上記内鍋において上記被駆動側磁石の回転軌跡で囲まれる領域に対応する部分は、上記非磁性体層があって、上記磁性体層がない。
【００１５】
上記実施形態によれば、上記内鍋において被駆動側磁石の回転軌跡で囲まれる領域に対応する部分は、非磁性体層があって、磁性体層がないので、内鍋から回転磁界発生装置に伝わる熱量はより少なくなると共に、磁性体層から磁気カップリングトルクへの悪影響がより小さくなる。
【００１６】
一実施形態の電気炊飯器では、
上記内鍋において上記攪拌体の外縁で囲まれる領域に対応する部分は、上記非磁性体層があって、上記磁性体層がない。
【００１７】
上記実施形態によれば、上記内鍋において攪拌体の外縁で囲まれる領域に対応する部分は、非磁性体層があって、磁性体層がないので、内鍋から回転磁界発生装置に伝わる熱量はよりさらに少なくなると共に、磁性体層から磁気カップリングトルクへの悪影響がよりさらに小さくなる。
【００１８】
一実施形態の電気炊飯器では、
上記回転磁界発生装置は、回転軸と、この回転軸に取り付けられた駆動側磁石とを有する。
【００１９】
上記実施形態によれば、上記回転磁界発生装置は、回転軸と、この回転軸に取り付けられた駆動側磁石とを有するので、回転軸と共に駆動側磁石を回転させることにより、簡単に回転磁界を発生させることができる。
【発明の効果】
【００２０】
本発明の電気炊飯器によれば、炊飯器本体の上部に開閉自在に取り付けられ、内鍋を覆うように閉じることが可能な蓋体と、この蓋体とは分離されていると共に、内鍋内に回転自在に配置された攪拌体とを備えるので、蓋体の開放時に、攪拌体が邪魔にならない。
【００２１】
また、上記内鍋において回転磁界発生装置に対応する部分は、非磁性体層があって、磁性体層がないので、内鍋の磁性体層が誘導加熱されても、その部分の温度上昇は比較的小さい。したがって、上記回転磁界発生装置が内鍋から受ける熱量は少なくなるので、回転駆動装置の温度が異常に高くなるのを防ぐことができる。
【００２２】
また、上記内鍋において回転磁界発生装置に対応する部分は、非磁性体層であって、磁性体層がないので、被駆動側磁石および回転磁界発生装置による磁気カップリングにおいて磁性体層から受ける悪影響が小さくなる。したがって、上記磁気カップリングを強固にすることができ、カップリングトルクを高めることができる。
【図面の簡単な説明】
【００２３】
【図１】図１は本発明の一実施形態の電気炊飯器の斜視図である。
【図２】図２は上記電気炊飯器の蓋体を開いた状態の斜視図である。
【図３】図３は図１のIII−III線から見た電気炊飯器の縦端面図である。
【図４】図４は図１のIV−IV線から見た電気炊飯器の縦端面図である。
【図５】図５は上記電気炊飯器の内鍋の下部と攪拌翼との端面図である。
【図６】図６は上記電気炊飯器の制御ブロック図である。
【図７】図７は上記電気炊飯器の内鍋の変形例を説明するための端面図である。
【図８】図８は上記電気炊飯器の内鍋の変形例を説明するための端面図である。
【発明を実施するための形態】
【００２４】
以下、本発明の電気炊飯器を図示の実施の形態により詳細に説明する。
【００２５】
図１は、本発明の一実施形態の電気炊飯器を斜め上方から見た斜視図である。
【００２６】
上記電気炊飯器は、炊飯器本体１と、この炊飯器本体１に開閉自在に取り付けられた蓋体２とを備えている。炊飯器本体１は、前面側に設けられた表示操作部３と、前面側かつ上側に設けられたフックボタン４と、後面側に回動自在に取り付けられた本体ハンドル５と、後面側かつ下側に接続された電源コード６とを有している。また、蓋体２の後面側に蒸気口２ａを設けている。表示操作部３は、液晶ディスプレイと複数の操作ボタンにより構成され、調理メニューや調理状況などの表示とボタン操作が可能である。蓋体２は、炊飯器本体１に設けられたラッチ機構（図示せず）に解除可能に係止された状態で閉じられており、フックボタン４を押すことによりラッチ機構の係止が解除されて、スプリング２６（図３に示す）の付勢力で蓋体２が開く。
【００２７】
図２は、上記電気炊飯器の蓋体２を開いた状態の斜視図である。
【００２８】
上記蓋体２は、外蓋２１および内蓋２２を有して、炊飯器本体１の上側かつ後面側に設けられたヒンジ軸２０（図３に示す）を中心に回動自在に炊飯器本体１に取り付けられている。また、炊飯器本体１内には、被加熱物（例えば米）を収容する内鍋１０が収納可能になっている。
【００２９】
上記内鍋１０の上端は開口しており、この開口の上面視の形状はほぼ円形となっている。また、内鍋１０の上端の開口の縁には環状のフランジ部１０ａを設けている。そして、内鍋１０のフランジ部１０ａには、径方向において互いに対向するように耐熱樹脂製の内鍋把手１１，１１を取り付けている。また、炊飯器本体１の上面の左右２箇所には、それぞれ、凹部１２ａ（図２では右側の１つのみを示す）を設けている。
【００３０】
図３は図１のIII−III線から見た電気炊飯器の縦端面図である。
【００３１】
上記炊飯器本体１は、外ケース１２と、この外ケース１２内に配置され、内鍋１０が収納される内ケース１３とを有する。この内ケース１３は、耐熱性と電気絶縁性を有する材料で形成されている。
【００３２】
上記外ケース１２と内ケース１３との間の空間の後面側（図３の右側）には、電源回路やインバータ回路などを含む電源部１４を配置し、この電源部１４の下側に電源部１４などを冷却する冷却ファン１５を配置している。さらに、冷却ファン１５の下側かつ外ケース１２の底部上には、電源コード６を巻き取るコードリール７を配置している。
【００３３】
また、上記内鍋１０は、フランジ部１０ａと、フランジ部１０ａの内周縁部から鉛直下方に向かって延びる周壁部１０ｂと、この周壁部１０ｂの下端に連なって鉛直斜め下方に延びる傾斜部１０ｃと、この傾斜部１０ｃの下端に連なって水平方向に延びる環状の底部１０ｄと、この底部１０ｄの内周縁部に連なって鉛直上方つまり内側に突出する有天筒形状の凸部１０ｅとを有している。この内鍋１０の凸部１０eには、蓋体２とは分離されている円板形状の攪拌翼４０を回転自在に嵌合させている。そして、内鍋１０の外面において凸部１０ｅに対応する部分には凹部が形成されている。この内鍋１０の外面の凹部は、内鍋１０の凸部１０ｅの形成に伴って形成される。なお、上記攪拌翼４０は攪拌体の一例である。
【００３４】
上記攪拌翼４０は、保持部６０と、保持部６０に取り外し自在に取り付けられた円板部７０とを有している。そして、保持部６０は、環状のヨーク４１と、このヨーク４１の内側において周方向かつ等間隔に配列された複数の磁石４２とを保持する。なお、磁石４２は被駆動側磁石の一例である。
【００３５】
また、上記内ケース１３において内鍋１０の凸部１０ｅの下方に位置する部分には、開口部１３ａが設けられている。さらに、開口部１３ａの下方には、回転軸１７ａを有する攪拌モータ１７を配置している。攪拌モータ１７の回転軸１７ａはロータ８０の軸部８２に連結されている。なお、攪拌モータ１７，ロータ８０は回転駆動装置の一例である。また、ロータ８０および回転軸１７ａは回転磁界発生装置の一例である。
【００３６】
上記ロータ８０は周方向かつ等間隔に配列された複数の磁石１８を有している。この複数の磁石１８は、内鍋１０の外面の上記凹部内に収容され、攪拌モータ１７の回転軸１７ａの径方向において攪拌翼４０の複数の磁石４２と磁気カップリングする。これにより、攪拌モータ１７がロータ８０を回転駆動すると、攪拌翼４０も回転駆動できるようになっている。なお、磁石１８は駆動側磁石の一例である。
【００３７】
なお、図３の９０は、ロータ８０を覆うカバーである。
【００３８】
また、上記外ケース１２と内ケース１３との間の空間の前面側（図３の左側）には、表示操作部３（図１，図２に示す）と電源部１４のインバータ回路と冷却ファン１５および攪拌モータ１７などを制御する制御部３０を配置している。
【００３９】
また、上記炊飯器本体１内の内ケース１３の下側には、内鍋１０の磁性体層１０Ｂ（図５に示す）を誘導加熱するための誘導コイル３１を配置している。この誘導コイル３１は、耐熱性を有する樹脂などにより内ケース１３の内面（内鍋１０に対向する面とは反対側の面）に接着されている。さらに、誘導コイル３１の下側に、誘導コイル３１の漏れ磁束を防止するフェライト部材３９などを配置している。また、上記内ケース１３の下側には、内ケース１３を貫通する底温度センサ３３も配置している。この底温度センサ３３は、内ケース１３に収納された内鍋１０の傾斜部１０ｃに先端部が当接して、内鍋１０の温度を検出する。なお、誘導コイル３１は誘導加熱部の一例である。
【００４０】
また、炊飯器本体１内には横ヒータ３２を配置している。この横ヒータ３２は、内ケース１３の上側の側部を囲むように周方向に沿って設けられている。そして、蓋体２内には蓋ヒータ３８（図４に示す）と蓋温度センサ３４（図６に示す）を配置している。
【００４１】
上記誘導コイル３１、横ヒータ３２および蓋ヒータ３８は、内鍋１０全体を加熱する加熱部を構成している。
【００４２】
上記蓋体２は、炊飯器本体１に回動自在に支持された外蓋２１と、その外蓋２１の内鍋１０に対向する側に着脱自在に取り付けられた内蓋２２とを有している。この内蓋２２の外周には環状の耐熱ゴム製のパッキン２３が着脱自在に取り付けられている。蓋体２が閉じられたときに、パッキン２３は、内鍋１０のフランジ部１０ａの上面に密着して、内鍋１０と内蓋２２との間をシールする。
【００４３】
なお、図３の２４は、内蓋２２に設けられた蒸気穴である。
【００４４】
図４は図１のIV−IV線から見た電気炊飯器の縦端面図である。
【００４５】
上記炊飯器本体１の外ケース１２の上面の左右２箇所に設けられた凹部１２ａ，１２ａに、内鍋１０の内鍋把手１１，１１を嵌合させると、内鍋１０は炊飯器本体１に対して位置決めされる。
【００４６】
そして、上記内鍋把手１１内には磁石５０を埋め込んでいる。また、外蓋２１の磁石５０上に位置する部分に、蓋体２を閉じたときに磁石５０の磁気によりオンするリードスイッチ２５を取り付けている。なお、上記内鍋把手１１，１１のどちらにも磁石５０を埋め込んでいる。
【００４７】
図５は、上記内鍋１０の下部と攪拌翼４０とを切断した端面を示す図である。
【００４８】
上記内鍋１０は、例えばアルミニウムなどの高熱伝導部材１０Ａと、加熱効率を向上させるステンレス等の磁性体層１０Ｂとを有する。高熱伝導部材１０Ａはプレスまたは鋳造で成型される一方、磁性体層１０Ｂは、高熱伝導部材１０Ａの外面の所定部のみに例えば溶射技術を用いて形成される。また、高熱伝導部材１０Ａの内面には、被加熱物の付着を防ぐためのフッ素樹脂をコーティングしている。なお、高熱伝導部材１０Ａは非磁性体層の一例である。
【００４９】
上記磁性体層１０Ｂは、傾斜部１０ｃにおける高熱伝導部材１０Ａの外面の全部と、底部１０ｄにおける高熱伝導部材１０Ａの外面の外周縁部とだけを覆っている。このため、底部１０ｄの大部分と、凸部１０ｅの全部とには、磁性体層１０Ｂがない。すなわち、内鍋１０において攪拌翼４０の外縁で囲まれる領域に対応する部分は、高熱伝導部材１０Ａがあって、磁性体層１０Ｂがない。
【００５０】
図６は上記電気炊飯器の制御ブロック図である。
【００５１】
上記制御部３０は、マイクロコンピュータと入出力回路などからなり、表示操作部３からの操作信号や、リードスイッチ２５，底温度センサ３３，蓋温度センサ３４からの信号などに基づいて、表示操作部３，攪拌モータ１７，冷却ファン１５，誘導コイル用インバータ回路３５，横ヒータ用回路３６および蓋ヒータ用回路３７を制御する。誘導コイル用インバータ回路３５は、誘導コイル３１に交番磁界を発生させる。なお、誘導コイル用インバータ回路３５は誘導加熱部の一例である。
【００５２】
上記誘導コイル用インバータ回路３５，横ヒータ用回路３６，蓋ヒータ用回路３７は、電源部１４（図３に示す）に含まれている。
【００５３】
上記構成の電気炊飯器によれば、図３，図４に示すように、攪拌翼４０の磁石４２はロータ８０の磁石１８と磁気カップリングし、ロータ８０の軸部８２が攪拌モータ１７の回転軸１７ａに連結されている。したがって、攪拌モータ１７およびロータ８０は内鍋１０外に配置されているが、攪拌モータ１７の回転軸１７ａを回転駆動させることにより、攪拌翼４０を回転駆動させることができる。すなわち、攪拌翼４０を磁気カップリングを介して回転駆動できる。
【００５４】
また、上記蓋体２に対して攪拌翼４０を分離しているので、蓋体２の開放時に、攪拌翼４０は邪魔にならず、蓋体２を完全に開くことができる。
【００５５】
また、図５に示すように、上記内鍋１０において攪拌翼４０の外縁で囲まれる領域に対応する部分は、高熱伝導部材１０Ａがあって、磁性体層１０Ｂがないので、内鍋１０の磁性体層１０Ｂが誘導加熱されても、その攪拌翼４０の外縁で囲まれる領域に対応する部分の温度上昇が比較的小さい。別の言い方をすれば、内鍋１０においてロータ８０およびカバー９０周辺の広範囲の部分は、他の部分に比べて低温となる。したがって、ロータ８０およびカバー９０が内鍋１０から受ける熱量は非常に少なくなるので、攪拌モータ１７、ロータ８０およびカバー９０の温度が異常に高くなるのを確実に防ぐことができる。
【００５６】
また、上記内鍋１０において攪拌翼４０の外縁で囲まれる領域に対応する部分は、高熱伝導部材１０Ａがあって、磁性体層１０Ｂがない。つまり、磁石１８と磁石４２との間に磁性体層１０Ｂが介在しない。これにより、磁石１８および磁石４２による磁気カップリングにおいて磁性体層１０Ｂから受ける悪影響が小さくなる。したがって、上記磁気カップリングを強固にすることができ、カップリングトルクを高めることができる。
【００５７】
上記実施形態において、内鍋１０に換えて、図７に示す内鍋２１０、あるいは、図８に示す内鍋３１０を用いてもよい。
【００５８】
上記内鍋２１０は、内鍋１０と同様に、傾斜部２１０ｃ、底部２１０ｄおよび凸部２１０ｅを有している。この傾斜部２１０ｃにおける高熱伝導部材１０Ａの外面の全部と、底部２１０ｄにおける高熱伝導部材１０Ａの外面の外周縁部およびこれに隣接する中央部とを、磁性体層１０Ｃで覆っている。そして、磁性体層１０Ｃは、底部２１０ｄにおける高熱伝導部材１０Ａの外面の内周縁部と、凸部２１０ｅにおける高熱伝導部材１０Ａの外面の全部とを覆っていない。すなわち、内鍋２１０において磁石４２の回転軌跡で囲まれる領域に対応する部分は、高熱伝導部材１０Ａがあって、磁性体層１０Ｃがない。
【００５９】
上記内鍋３１０は、内鍋１０と同様に、傾斜部３１０ｃ、底部３１０ｄおよび凸部３１０ｅを有している。この傾斜部３１０ｃにおける高熱伝導部材１０Ａの外面の全部と、底部３１０ｄにおける高熱伝導部材１０Ａの外面の全部とを、磁性体層１０Ｄで覆っている。そして、磁性体層１０Ｄは、凸部３１０ｅにおける高熱伝導部材１０Ａの外面の全部を覆っていない。すなわち、内鍋３１０においてロータ８０および回転軸１７ａに対応する部分は、高熱伝導部材１０Ａがあって、磁性体層１０Ｄがない。
【００６０】
このような内鍋２１０，３１０を用いても、攪拌モータ１７、ロータ８０およびカバー９０の温度上昇抑制効果と、カップリングトルクの向上効果とが得られる。
【００６１】
なお、図７，図８において、図５に示した構成部と同一構成部は、図５における構成部と同一の参照番号を付して、説明を省略する。
【００６２】
上記実施形態では、攪拌翼４０の磁石４２はロータ８０の磁石１８と回転軸１７ａの径方向において磁気カップリングするようにしていたが、ロータ８０の磁石１８と回転軸１７ａの軸方向において磁気カップリングするようにしてもよい。攪拌翼４０の磁石４２とロータ８０の磁石１８とを回転軸１７ａの軸方向において磁気カップリングさせる場合、凸部１０ｅのような凸部を有さない内鍋を用いてもよい。
【００６３】
上記実施形態において、攪拌モータ１７およびロータ８０の換わりに、例えば同期モータのステータヨークのように、ステータヨークと、このステータヨークに巻き付けられた複数のコイルと、この複数のコイルに回転磁界を生成するための交流電源とを用いてもよい。このステータヨークおよび交流電源によって、回転磁界を発生させることにより、磁気カップリングした攪拌翼４０を回転駆動させることができる。要するに、回転磁界を発生できる装置であれば、内鍋１０の底部の外面の凹部内に収容してもよい。
【００６４】
本発明の具体的な実施の形態について説明したが、本発明は上記実施の形態に限定されるものではなく、本発明の範囲内で種々変更して実施することができる。
【符号の説明】
【００６５】
１…炊飯器本体
２…蓋体
２ａ…蒸気口
３…表示操作部
４…フックボタン
５…本体ハンドル
６…電源コード
７…コードリール
１０，２１０，３１０…内鍋
１０Ａ…高熱伝導部材
１０Ｂ…磁性体層
１０ａ…フランジ部
１０ｅ…凸部
１１…内鍋把手
１２…外ケース
１２ａ…凹部
１３…内ケース
１４…電源部
１５…冷却ファン
１６…ロータ
１７…攪拌モータ
１８…磁石
２０…ヒンジ軸
２１…外蓋
２２…内蓋
２３…パッキン
２４…蒸気穴
２５…リードスイッチ
２６…スプリング
３０…制御部
３１…誘導コイル
３２…横ヒータ
３３…底温度センサ
３４…蓋温度センサ
３５…誘導コイル用インバータ回路
３６…横ヒータ用回路
３７…蓋ヒータ用回路
３８…蓋ヒータ
３９…フェライト部材
４０…攪拌翼
４１…ヨーク
４２…磁石
５０…磁石
【図１】
2011156218.tif 000003
【図２】
2011156218.tif 000004
【図３】
2011156218.tif 000005
【図４】
2011156218.tif 000006
【図５】
2011156218.tif 000007
【図６】
2011156218.tif 000008
【図７】
2011156218.tif 000009
【図８】
2011156218.tif 000010